(57)【要約】      （修正有）【課題】開栓前も開栓後も冷却したり保冷することができ、且つ手頃に持ち運びができる簡易な飲料容器の保冷箱を提供する。【解決手段】保冷箱１は、飲料容器６を立てた状態で保持するための上部が開口したカップ部４と、カップ部４の周囲に保冷材７を貯留するための保冷材貯留部２と、前記保冷材貯留部２を覆う開閉可能な蓋部３とを備え、蓋部３は、カップ部４の開口を通した飲料容器６の出し入れに干渉しないように構成され、カップ部４の側面４０および底面４１は液密に構成されている。【選択図】図２
0003228298.tif 000002
【実用新案登録請求の範囲】
【請求項１】
飲料容器を立てた状態で保持するための上部が開口したカップ部と、
前記カップ部の周囲に保冷材を貯留するための保冷材貯留部と、
前記保冷剤貯留部を覆う開閉可能な蓋部とを備え、そして
前記蓋部は、前記カップ部の開口を通した飲料容器の出し入れに干渉しないように構成され、
前記カップ部の側面および底面は液密に構成されている、飲料容器の保冷箱。
【請求項２】
前記蓋部は蓋部開口を有し、前記カップ部は、少なくとも前記蓋部開口の周縁から下方に向かって延びる中空の筒と、前記筒の底部とから構成されている、請求項1に記載の保冷箱。
【請求項３】
前記カップ部は、前記保冷材貯留部の内側底面から上方に向かって延びる中空の筒によって構成されている、請求項１に記載の保冷箱。
【請求項４】
前記蓋部の上面は、被保冷対象物を載置するための凹部を有する、請求項１から請求項３までのいずれか１項に記載の保冷箱。
【請求項５】
前記カップ部を複数備える、請求項１から請求項４までのいずれか１項に記載の保冷箱。
【請求項６】
前記カップ部、前記保冷材貯留部および／または前記蓋部は、銅、アルミニウムまたはステンレス鋼によって形成されている、請求項１から請求項５までのいずれか１項に記載の保冷箱。
【請求項７】
前記保冷材は水、氷または氷水である、請求項１から請求項６までのいずれか１項に記載の保冷箱。
【請求項８】
前記飲料容器は缶、ペットボトルまたは瓶である、請求項１から請求項７までのいずれか１項に記載の保冷箱。
【考案の詳細な説明】
【技術分野】
【０００１】
本考案は飲料容器の保冷箱に関し、特に飲料容器を保持するためのカップ部と、カップ部の周囲に保冷材を貯留するための保冷材貯留部と、保冷剤貯留部を覆う開閉可能な蓋部とを備えることにより、缶、ペットボトル、瓶などの容器に詰められたビールや炭酸飲料などの飲料を開栓前も開栓後も冷却したり保冷することができる保冷箱に関する。
【背景技術】
【０００２】
缶、ペットボトル、瓶などの容器に内容されたビールや炭酸飲料などは、冷たいほど美味しく感じられることから、通常は飲む直前まで、屋内であれば冷蔵庫や、屋外であればクーラーボックスなどで冷やされる。
【０００３】
例えば、実用新案登録第３１２６３３８号公報（特許文献１）では、製氷容器の中で水を凍らせる際、その上から樋状に凹んだ蓋を被せることにより、製氷された氷ブロックの上面に樋状の凹面を形成させ、その凹面の上に飲料缶などを横向きに寝かせることにより、飲料缶などを冷やすことができるようにした冷却器が開示されている。
【０００４】
しかし、特許文献１に記載の冷却器では、飲料缶やペットボトルなどを飲むために開栓をしてしまうと、ビールや炭酸飲料などの内容物が溢れないように飲料缶などを冷却したり保冷することができないという問題があった。また、一般的なクーラーボックスの中で飲料缶などを冷やす場合も、特許文献１に記載の冷却器と同様の問題が生じる上に、クーラーボックス内を氷水などで冷やしている場合は、開栓した飲料缶などの中へ氷水などが侵入してしまうという問題もあった。さらに、クーラーボックスの中で飲料缶などを冷やす場合、蓋を閉めて密閉状態にしていなければ冷却、保冷効果が低下してしまうため、飲料缶などを取り出す度に蓋を開閉しなければならず、煩雑な作業が必要となるという問題があった。
【０００５】
また、実用新案登録第３１３２４８０号公報（特許文献２）では、上記の問題点を解決するため、開栓した飲料缶などを簡易に保冷することができるようにした保冷用コースターが開示されている。
【０００６】
しかし、特許文献２に記載の保冷用コースターは、飲料缶の周囲を包み込むように成形された専用の保冷剤を準備しなければならず、製造コストが極めて高くなるという問題があった。また、コースターを形成する保冷剤は、使用する直前まで冷蔵庫などで冷却しておく必要があるため、実質的に使用できる場所や範囲が限られてしまうという問題があった。
【先行技術文献】
【特許文献】
【０００７】
【特許文献１】実用新案登録第３１２６３３８号公報
【特許文献２】実用新案登録第３１３２４８０号公報
【考案の概要】
【考案が解決しようとする課題】
【０００８】
そこで、本考案は、缶、ペットボトル、瓶などの容器に内容されたビールや炭酸飲料などの飲料を、開栓前も開栓後も冷却したり保冷することができ、且つ手頃に持ち運びができる簡易な飲料容器の保冷箱を提供することを目的とする。
【課題を解決するための手段】
【０００９】
本考案者等は、飲料容器の冷却態様と、取り扱いが容易で且つ簡単に入手できる冷却源（保冷材）について鋭意検討を重ねた結果、蓋部を有しており、保冷材を貯留するための保冷材貯留部とからなる保冷箱において、飲料容器を立てた状態で保持するためのカップ部を蓋部と干渉しないように設けることにより、水、氷または氷水などの保冷材を用いて、飲料容器を開栓前も開栓後も簡単に冷却したり保冷することができることを見出し、本考案を完成するに至った。
【００１０】
すなわち、本考案によれば、飲料容器を立てた状態で保持するために上部が開口したカップ部と、前記カップ部の周囲に保冷材を貯留するための保冷材貯留部と、前記保冷剤貯留部を覆う開閉可能な蓋部とを備え、そして前記蓋部は、前記カップ部の開口を通した飲料容器の出し入れに干渉しないように構成され、前記カップ部の側面および底面は液密に構成されている、飲料容器の保冷箱が提供される。
【００１１】
本考案では、保冷材貯留部に貯えられた保冷材は、蓋部およびカップ部によって実質的に密閉された空間の中に保持されるため、外部に露出されることがなく、冷却、保冷効果を長期にわたり持続させることができる。
【００１２】
また、ビールや炭酸飲料などが内容された飲料容器は、保冷材によって冷却、保冷されるカップ部の中に立てた状態で保持されるため、飲料容器を開栓前も開栓後も内容物を溢すことなく簡単に冷却、保冷することができる。特に蓋部には、カップ部の上部開口と整列した開口部を設けているので、蓋部を閉めた状態でもカップ部の内部へ容易にアクセスすることができ、飲料容器の出し入れが可能になる。
【００１３】
上述のように、本考案において保冷材貯留部に貯えた保冷材を外部に露出しないように蓋部およびカップ部によって実質的に密閉し、カップ部はその周囲が保冷材によって冷却、保冷されるようにするためには、例えばカップ部は、蓋部に蓋部開口を設け、少なくとも該蓋部開口の周縁から下方に向かって延びる中空の筒および該筒の底部とから構成することができる。或いは、他の形態として、カップ部を、上部が開口しており、保冷材貯留部の内側底面から上方に向かって延びる中空の筒から構成することもできる。
【００１４】
本考案の保冷箱では、カップ部は１つである必要がなく複数個設けてもよい。また、カップ部を複数個設ける場合、上述したように、少なくとも該蓋部開口の周縁から下方に向かって延びる中空の筒と該筒の底部とからなる第１形態のカップ部と、保冷材貯留部の内側底面から上方に向かって延びる中空の筒からなる第２形態のカップ部とを組み合わせて構成してもよい。
【００１５】
本考案の保冷箱は、カップ部が保冷材貯留部又は蓋部に一体的に取り付けられているので、実質的には保冷材貯留部と蓋部の２つの部品のみからなるコンパクトなものであり、電源や専用の保冷材を準備する必要もない。また、本考案の保冷箱は、保冷材として安価で且つ取り扱いが容易な水、氷または氷水などを用いることができ、さらに、これらの保冷材は家庭内の冷蔵庫やコンビニエンス・ストアなど様々な場所から入手できることから、可搬性に優れ、卓上など場所を選ばす何処でも使用できるというメリットがある。
【００１６】
さらに、カップ部はその側面および底面が液密に構成されているので、カップ部の周囲を冷却、保冷する氷水などの保冷材がカップ部の中へ侵入することがない。このため、開栓後、飲みかけの缶やペットボトルを保冷箱のカップ部の中に載置しても、浮力により、缶やペットボトルが浮き上がってカップ部内に保持できなくなるような不都合を招くことがない。
【００１７】
本考案の保冷箱では、蓋部の上面に、例えば刺身などの被保冷対象物を載置するための凹部を設けてもよい。蓋部の上面に凹部を設けると、缶ビールなどの飲料容器の他に、刺身などのあてやつまみ物を凹部の中で同時に冷却したり保冷することができるので便利である。
【００１８】
蓋部の凹部の形状や配置、個数は特に限定がないが、蓋部上面のカップ部の開口と干渉しない位置に配置することが好ましく、あてやつまみ物などを盛り付けることを考慮して平坦な皿形状を有していることが好ましい。また、凹部の冷却、保冷効果を高めるため、凹部の底面（裏面）などは保冷材貯留部に貯めた水、氷または氷水など保冷材と接することができる形状、配置であることが好ましく、さらに、凹部の中へ氷水などの保冷材が侵入しないように、凹部は蓋部の上面に液密に形成されていることが好ましい。
【００１９】
本考案の保冷箱は、カップ部、保冷材貯留部および／または蓋部が、銅、アルミニウムまたはステンレス鋼などの金属材料によって形成されていることが好ましい。これらの材料は加工が容易である上に比較的熱伝導率が高いため、カップ部や蓋部の凹部を介してそれらへ載置された飲料容器や被保冷対象物を効率よく冷却、保冷するのに好適である。また、カップ部、保冷材貯留部および蓋部の全部を同一材料で形成する必要はなく、例えば冷却等する必要がある飲料容器や被保冷対象物を載置するカップ部や蓋部などは熱伝導率等に優れた上記の材料によって形成し、保冷材貯留部などは熱伝導率が低い断熱材料などによって形成してもよい。
【考案の効果】
【００２０】
本考案の保冷箱によれば、保冷材貯留部に貯えられた保冷材は、蓋部およびカップ部によって実質的に密閉された空間の中に保持されるため、外部に露出されることがなく、冷却、保冷効果を長期にわたり持続させることができる。
【００２１】
また、本考案の保冷箱によれば、ビールや炭酸飲料などが内容された飲料容器は、保冷材によって冷却、保冷されるカップ部の中に立てた状態で保持されるため、飲料容器を開栓前も開栓後も内容物を溢すことなく簡単に冷却、保冷することができる。
【００２２】
さらに、本考案の保冷箱は、実質的に保冷材貯留部と蓋部の２つの部品のみからなるコンパクトなものであり、電源や専用の保冷材を準備する必要もない。また、本考案の保冷箱では、保冷材として安価で且つ取り扱いが容易な水、氷または氷水などを用いることができ、これらの保冷材は家庭内の冷蔵庫やコンビニエンス・ストアなど様々な場所から入手できることから、可搬性に優れており、場所を選ばす何処でも使用することができる。
【図面の簡単な説明】
【００２３】
【図１】図１は、本考案の第１の実施形態に係る保冷箱の分解した状態を示す斜視図である。
【図２】図２（ａ）は、第１の実施形態に係る保冷箱の組み立てた状態を示す平面図であり、図２（ｂ）は、図２（ａ）に示される保冷箱をＸ−Ｘ断面で切り取った断面図である。
【図３】図３は、本考案の第２の実施形態に係る保冷箱分解した状態を示す斜視図である。
【図４】図４（ａ）は、第２の実施形態に係る保冷箱の組み立てた状態を示す平面図であり、図４（ｂ）は、図４（ａ）に示される保冷箱をＹ−Ｙ断面で切り取った断面図である。
【考案を実施するための形態】
【００２４】
以下、本考案の一実施形態に係る飲料容器の保冷箱について、図面を参照しながら詳細に説明する。なお、本考案は、以下に示される実施例に限定されるものではなく、本考案の技術的思想を逸脱しない範囲内で各種の変更が可能である。
【実施例１】
【００２５】
図１には、本考案の第１の実施形態に係る保冷箱１を分解した状態の斜視図が示されており、そして図２（ａ）には、第１の実施形態に係る保冷箱１を組み立てた状態の平面図が示されており、図２（ｂ）には、図２（ａ）に示される保冷箱１をＸ−Ｘ断面で切り取った断面図が示されている。
【００２６】
図１，２を参照して理解されるように、本実施形態の保冷箱１は、保冷材７を貯留するための保冷材貯留部２と保冷剤貯留部２を覆う着脱可能な蓋部３とから構成されている。
【００２７】
保冷剤貯留部２は底２０と周壁２１からなり、水、氷または氷水などの保冷材７を貯えることができる容器であって上面が開口している。保冷剤貯留部２の形状は、氷水などの保冷材７を貯えることができるものであれば特に限定はなく、その平面形状や高さは、冷却、保冷する飲料容器６や後述するカップ部４の大きさ、数、配置などに合わせて決めればよい。例えば、保冷剤貯留部２の平面形状は図示されているような長方形である他、他の多角形、円形または楕円形などであってもよい。
【００２８】
保冷剤貯留部２には、飲料容器６を立てた状態で保持するために、上部が開口しており、保冷剤貯留部２の底２０から上方に向かっての延びる中空の筒からなるカップ部４が取り付けられている。カップ部４は、その側面４０および底面４１が液密に構成されており、本実施形態では、保冷剤貯留部２の底２０がカップ部４の底面４１を兼ねている（図２（ｂ）参照）。
【００２９】
蓋部３は、保冷剤貯留部２に貯えられた氷水などの保冷材７の冷気を外部に逃がさないようにするためのものであり、このため、蓋部３の大きさや形状は、貯留部開口２２の大きさや形状に合わせて決めればよい。本実施形態では、蓋部３の大きさや形状は貯留部開口２２の大きさや形状と略同一であり、蓋部３の縁には、保冷剤貯留部２へ装着した後の蓋部３の脱落防止および保冷箱１の密閉性向上を目的とした折り返し３０が設けられている。
【００３０】
また、蓋部３には、蓋部３を保冷剤貯留部２へ装着した際にカップ部開口４２と整列する蓋部開口３１が設けられている。このため、本実施形態では、外部からカップ部４の中へ容易にアクセスすることができ、飲料容器６をカップ部４の内外へ出し入れする際に蓋部３と干渉することがない。なお、蓋部開口３１の大きさや形状は、カップ部開口４２との隙間を小さくして冷気が外部へ逃げ難くするため、カップ部開口４２の大きさや形状と略同一にすることが好ましい。
【００３１】
このように、本実施形態の保冷箱１では、保冷材貯留部２に貯えられた氷水などの保冷材７は、蓋部３およびカップ部４によって実質的に密閉され、外部に露出されることがないため、冷却、保冷効果を長期にわたり持続させることができる。また、保冷箱１には、卓上など置き場所との伝熱抑制および疵付け防止の目的で、ゴムや樹脂などの熱伝導率の低い柔軟材料からなる脚部（図示せず）を保冷材貯留部２の底２０の裏面に設けてもよい。
【００３２】
また、ビールや炭酸飲料などが内容された飲料容器６は、氷水などの保冷材７によって冷却、保冷されるカップ部４の中に立てた状態で保持されるので、飲料容器６を開栓前も開栓後も内容物を溢すことなく簡単に冷却、保冷することができる。
【００３３】
さらに、カップ部４はその側面４０および底面４１が液密に構成されているので、カップ部４の中へ周囲の氷水などの保冷材７が侵入することがない（図２（ｂ）参照）。このため、開栓後、飲みかけの缶やペットボトルを保冷箱１のカップ部４の中に載置しても、浮力により、缶やペットボトルが浮き上がってカップ部４内に保持できなくなるような不都合を生じることがない。
【００３４】
本実施形態の保冷箱１では、蓋部３の上面に、例えば刺身などの被保冷対象物（図示せず）を載置するための凹部５を設けてもよい。蓋部３の上面に凹部５を設けると、缶ビールなどの飲料容器６の他に、刺身などのあてやつまみ物を凹部５の中で同時に冷却したり保冷することができるので便利である。
【００３５】
凹部５の形状や配置、個数は特に限定がないが、本実施形態では刺身などの被保冷対象物を容易に盛り付けられるように、平坦な皿形状の凹部５を蓋部３上面のカップ部開口４２と干渉しない位置に設けている。また、図２（ｂ）に示されるように、凹部５の底面（裏面）などは、その冷却、保冷効果を高めるため、保冷材貯留部２に貯めた氷水などの保冷材７と接することができるように配置されており、さらに凹部５の中へ氷水などの保冷材７が侵入しないように、凹部５は蓋部３の上面に液密に形成されている。
【００３６】
本実施形態の保冷材貯留部２、凹部５を含む蓋部３およびカップ部４は、熱伝導率や加工性を考慮してステンレス鋼によって形成されているが、銅またはアルミニウムなど他の熱伝導率等に優れた材料を使用することもできる。また、保冷材貯留部２、カップ部４および蓋部３の全部を必ずしも同一材料で形成する必要はなく、例えば特に冷却する必要があるカップ部４や蓋部３の凹部５を熱伝導率等に優れた上記の材料によって形成し、保冷材貯留部２や凹部５を除く蓋部３を熱伝導率が低い断熱材料などによって形成してもよい。
【００３７】
以上のように、本実施形態の保冷箱１は、カップ部４が保冷材貯留部２に一体的に取り付けられているので、実質的に保冷材貯留部２と蓋部３の２つの部品のみからなるコンパクトなものであり、電源や専用の保冷材を準備する必要もない。また、本実施形態の保冷箱１は、保冷材７として安価で且つ取り扱いが容易な水、氷または氷水などを用いることができ、これらの保冷材７は家庭内の冷蔵庫やコンビニエンス・ストアなど様々な場所から入手できることから、可搬性に優れており、場所を選ばす何処でも使用できるという特徴がある。
【実施例２】
【００３８】
図３には、本考案の第２の実施形態に係る保冷箱１ａを分解した状態の斜視図が示されており、そして図４（ａ）には、第２の実施形態に係る保冷箱１ａを組み立てた状態の平面図が示されており、図４（ｂ）には、図４（ａ）に示される保冷箱１ａをＹ−Ｙ断面で切り取った断面図が示されている。
【００３９】
図３，４を参照して理解されるように、本実施形態の保冷箱１ａは、保冷材７ａを貯留するための保冷材貯留部２ａと保冷剤貯留部２ａを覆う着脱可能な蓋部３ａとから構成されている。
【００４０】
本実施形態の保冷剤貯留部２ａは、水、氷または氷水などの保冷材７ａを貯えることができるように上面が開口しており、底２０ａと周壁２１ａからなる容器である点において、第１の実施形態の保冷箱１と同じである。しかし、本実施形態の保冷剤貯留部２ａにはカップ部４ａが取り付けられていない。また、保冷剤貯留部２ａの形状は特に限定がなく、その平面形状や高さは、冷却、保冷する飲料容器６ａや後述するカップ部４ａの大きさ、数、配置などに合わせて決められることは、第１の実施形態の保冷箱１と同様である。
【００４１】
本実施形態の保冷箱１ａでは、カップ部４ａは、その側面４０ａおよび底面４１ａが液密に構成されており、少なくとも蓋部３ａに設けた蓋部開口３１ａの周縁から下方に向かって延びる有底且つ中空の筒を形成するように該蓋部３ａに取り付けられている。また、カップ部４ａの中空の筒は、蓋部開口３１ａの周縁から上方に向かって延びていてもよい。また、図示しないが、カップ部を複数個設ける場合、第１の実施形態の保冷箱１のように保冷材貯留部１に取り付けたカップ部４と、第２の実施形態の保冷箱１ａのように蓋部３ａに取り付けたカップ部４ａとを組み合わせて構成してもよい。
【００４２】
蓋部３ａは、保冷剤貯留部２ａに貯えられた氷水などの保冷材７ａの冷気を外部に逃がさないようにするためのものであり、このため、蓋部３ａの大きさや形状は、貯留部開口２２ａの大きさや形状に合わせて決めればよい。本実施形態では、蓋部３ａの大きさや形状は貯留部開口２２ａの大きさや形状と略同一であり、蓋部３ａの縁には、保冷剤貯留部２ａへ装着した後の蓋部３ａの脱落防止および保冷箱１ａの密閉性向上を目的とした折り返し３０ａが設けられている。
【００４３】
また、蓋部３ａには、カップ部開口４２ａを兼ねた蓋部開口３１ａが設けられている。このため、本実施形態では、外部からカップ部４ａの中へ容易にアクセスすることができ、飲料容器６ａをカップ部４ａの内外へ出し入れする際に蓋部３ａと干渉することがない。なお、本実施形態では、カップ部開口４２ａは蓋部開口３１ａの縁の全周にわたり液密に接続されている。
【００４４】
このように、本実施形態の保冷箱１ａでは、保冷材貯留部２ａに貯えられた氷水などの保冷材７ａは、蓋部３ａおよびカップ部４ａによって実質的に密閉され、外部に露出されることがないため、冷却、保冷効果を長期にわたり持続させることができる。また、保冷箱１ａには、卓上など置き場所との伝熱抑制および疵付け防止の目的で、ゴムや樹脂などの熱伝導率の低い柔軟材料からなる脚部（図示せず）を保冷材貯留部２ａの底２０ａの裏面に設けてもよい。
【００４５】
また、ビールや炭酸飲料などが内容された飲料容器６ａは、氷水などの保冷材７ａによって冷却、保冷されるカップ部４ａの中に立てた状態で保持されるので、飲料容器６ａを開栓前も開栓後も内容物を溢すことなく簡単に冷却、保冷することができる。
【００４６】
さらに、カップ部４ａはその側面４０ａおよび底面４１ａが液密に構成されているので、カップ部４ａの中へ周囲の氷水などの保冷材７が侵入することがない（図４（ｂ）参照）。このため、開栓後、飲みかけの缶やペットボトルを保冷箱１ａのカップ部４ａの中に載置しても、浮力により、缶やペットボトルが浮き上がってカップ部４ａ内に保持できなくなるような不都合を生じることがない。
【００４７】
本実施形態の保冷箱１ａでは、蓋部３ａの上面に、例えば刺身などの被保冷対象物（図示せず）を載置するための凹部５ａを設けてもよい。蓋部３ａの上面に凹部５ａを設けると、缶ビールなどの飲料容器６ａの他に、刺身などのあてやつまみ物を凹部５ａの中で同時に冷却したり保冷することができるので便利である。
【００４８】
凹部５ａの形状や配置、個数は特に限定がないが、本実施形態では刺身などの被保冷対象物を容易に盛り付けられるように、平坦な皿形状の凹部５ａを蓋部３ａ上面のカップ部開口４２ａと干渉しない位置に設けている。また、図４（ｂ）に示されるように、凹部５ａの底面（裏面）などは、その冷却、保冷効果を高めるため、保冷材貯留部２ａに貯めた氷水などの保冷材７ａと接することができるように配置されており、さらに凹部５ａの中へ氷水などの保冷材７ａが侵入しないように、凹部５ａは蓋部３ａの上面に液密に形成されている。
【００４９】
本実施形態の保冷材貯留部２ａ、カップ部４ａ及び凹部５ａを含む蓋部３ａは、熱伝導率や加工性を考慮してステンレス鋼によって形成されているが、銅またはアルミニウムなど他の熱伝導率等に優れた材料を使用することもできる。また、保冷材貯留部２ａ、蓋部３ａの全部を必ずしも同一材料で形成する必要はなく、例えば特に冷却する必要がある蓋部３ａのカップ部４ａや凹部５ａを熱伝導率等に優れた上記の材料によって形成し、保冷材貯留部２ａやカップ部４ａ及び凹部５ａを除く蓋部３ａを熱伝導率が低い断熱材料などによって形成してもよい。
【００５０】
以上のように、本実施形態の保冷箱１ａは、カップ部４ａが蓋部３ａに一体的に取り付けられているので、実質的に保冷材貯留部２ａと蓋部３ａの２つの部品のみからなるコンパクトなものであり、電源や専用の保冷材を準備する必要もない。また、本実施形態の保冷箱１ａは、第１の実施形態に係る保冷箱１と同様に、保冷材７ａとして安価で且つ取り扱いが容易な水、氷または氷水などを用いることができ、これらの保冷材７ａは家庭内の冷蔵庫やコンビニエンス・ストアなど様々な場所から入手できることから、可搬性に優れており、場所を選ばす何処でも使用できるという特徴がある。
【符号の説明】
【００５１】
１，１ａ・・・・・保冷箱
２，２ａ・・・・・保冷材貯留部
２０，２０ａ・・・底
２１，２１ａ・・・周壁
２２，２２ａ・・・貯留部開口
３，３ａ・・・・・蓋部
３０，３０ａ・・・折り返し
３１，３１ａ・・・蓋部開口
４，４ａ・・・・・カップ部
４０，４０ａ・・・側面
４１，４１ａ・・・底面
４２，４２ａ・・・カップ部開口
５，５ａ・・・・・凹部
６，６ａ・・・・・飲料容器
７，７ａ・・・・・保冷材
【図１】
0003228298.tif 000003
【図２】
0003228298.tif 000004
【図３】
0003228298.tif 000005
【図４】
0003228298.tif 000006
【手続補正書】
【提出日】令和2年7月8日(2020.7.8)
【手続補正１】
【補正対象書類名】実用新案登録請求の範囲
【補正対象項目名】全文
【補正方法】変更
【補正の内容】
【実用新案登録請求の範囲】
【請求項１】
飲料容器を立てた状態で保持するための上部が開口したカップ部と、
前記カップ部の周囲に保冷材を貯留するための保冷材貯留部と、
前記保冷材貯留部を覆う開閉可能な蓋部とを備え、そして
前記蓋部は、前記カップ部の開口を通した飲料容器の出し入れに干渉しないように構成され、
前記カップ部の側面および底面は液密に構成されている、飲料容器の保冷箱。
【請求項２】
前記蓋部は蓋部開口を有し、前記カップ部は、少なくとも前記蓋部開口の周縁から下方に向かって延びる中空の筒と、前記筒の底部とから構成されている、請求項1に記載の保冷箱。
【請求項３】
前記カップ部は、前記保冷材貯留部の内側底面から上方に向かって延びる中空の筒によって構成されている、請求項１に記載の保冷箱。
【請求項４】
前記蓋部の上面は、被保冷対象物を載置するための凹部を有する、請求項１から請求項３までのいずれか１項に記載の保冷箱。
【請求項５】
前記カップ部を複数備える、請求項１から請求項４までのいずれか１項に記載の保冷箱。
【請求項６】
前記カップ部、前記保冷材貯留部および／または前記蓋部は、銅、アルミニウムまたはステンレス鋼によって形成されている、請求項１から請求項５までのいずれか１項に記載の保冷箱。
【請求項７】
前記保冷材は水、氷または氷水である、請求項１から請求項６までのいずれか１項に記載の保冷箱。
【請求項８】
前記飲料容器は缶、ペットボトルまたは瓶である、請求項１から請求項７までのいずれか１項に記載の保冷箱。